(57)【要約】      （修正有）【課題】高定品質の精製水を安定的に外部機器に供給できる水処理装置を提供する。【解決手段】外部から受ける原水から不純物を除去する第１モジュールＦｉと、第１モジュールの出力水を受けて逆浸透膜を経由させる第２モジュールＴＵ１，ＴＵ２と、第１モジュールと第２モジュールの間に配置されて通過水の取得と薬液の注入とが可能な上流検査ポートＳ１と、第２モジュールの出力ラインに配置されるバッファタンクＢＵＦと、を有して構成され、バッファタンクＢＵＦは、気体を蓄える気密室と、出力ラインに連通する蓄水室とが、可動ピストンによって区分されて構成され、気密室の圧力Ｐ１と出力ラインの圧力Ｐ２が一致するよう可動ピストンが可動するよう構成されている。【選択図】図２
0003191192.tif 000002
【実用新案登録請求の範囲】
【請求項１】
外部機器に対して必要量の精製水を供給する水処理装置であって、
外部から受ける原水から不純物を除去する第１モジュールと、第１モジュールの出力水を受けて逆浸透膜を経由させる第２モジュールと、第１モジュールと第２モジュールの間に配置されて通過水の取得と薬液の注入とが可能な上流検査ポートと、第２モジュールの出力ラインに配置されるバッファタンクと、を有して構成され、
前記バッファタンクは、気体を蓄える気密室と、出力ラインに連通する蓄水室とが、可動ピストンによって区分されて構成され、気密室と出力ラインの圧力が一致するよう可動ピストンが可動するよう構成されていることを特徴とする水処理装置。
【請求項２】
前記外部機器は、医療機器であって、可動ピストンが可動することで、供給水の水圧が、最低基準値を上回るよう構成されている請求項１に記載の水処理装置。
【請求項３】
前記バッファタンクは、完全閉塞状態であって、気密室の気密状態が永続的に維持されるよう構成されている請求項１又は２に記載の水処理装置。
【請求項４】
前記バッファタンクには、脱気動作と給気動作が可能なシリンジ部材が接続可能な接続ポートと、接続ポートと気密室との連通を開閉制御する連通弁とが配置され、
通常時は、連通弁が閉塞状態であって気密室の気密状態が維持される一方、必要時には、接続ポートに接続されたシリンジ部材の動作に基づいて、蓄水室の容積が適宜に設定可能に構成されている請求項１又は２に記載の水処理装置。
【請求項５】
水処理装置の洗浄運転動作では、洗浄開始時、洗浄動作中、又は、洗浄終了時の何れか一以上のタイミングで、可動ピストンを意図的に可動させるよう構成されている請求項１〜４の何れかに記載の水処理装置。
【請求項６】
水処理装置の洗浄運転では、洗浄開始時、洗浄動作中、又は、洗浄終了時の何れか一以上のタイミングで、
気密室の気体をシリンジ部材に移動させる脱気動作、又は、シリンジ部材の気体を気密室に移動させる給気動作が実行される請求項４又は５に記載の水処理装置。
【請求項７】
水処理装置の洗浄運転時には、上流検査ポートから洗浄液が注入される請求項１〜６の何れかに記載の水処理装置。
【請求項８】
第２モジュールの下流側には、通過水を取得可能な下流検査ポートが配置されている請求項１〜７の何れかに記載の水処理装置。
【請求項９】
前記蓄水室の蓄水量は、最低基準値の水圧において１００ｃｃ以上である請求項１〜８の何れかに記載の水処理装置。
【考案の詳細な説明】
【技術分野】
【０００１】
本考案は、個人用透析装置などの医療機器に対して、精製水を安定的に供給する水処理装置に関し、特に、洗浄性能に優れた小型の水処理装置に関する。
【背景技術】
【０００２】
腎不全により腎臓機能が低下又は消失した患者は、一週間に２〜３回、病院に通院して、４時間程度の透析治療を受ける必要がある。
【０００３】
個人用透析装置は、この透析治療時に使用される装置であり、患者の血液を人工腎臓（ダイヤライザ）に送る一方、ダイヤライザを通して透析液を還流させることで、患者の血液から毒素を除去している。
【先行技術文献】
【特許文献】
【０００４】
【特許文献１】特開２０１３−１４４０８５号公報
【特許文献２】特開２０１０−１８７７２１号公報
【特許文献３】特開２００４−０４９９７７号公報
【特許文献４】特開２００１−０００９６９号公報
【考案の概要】
【考案が解決しようとする課題】
【０００５】
このように、透析治療は、患者の生命を維持するために必須であり、透析液の品質を維持するために、ＲＯ（Reverse Osmosis ）水などの精製水が使用される。そして、精製水の水質として特に重要視されるのは、エンドトキシンなど、人体に有害な物質を含まないことであり、このような水質を担保した水処理装置が必要となる。
【０００６】
また、個人用透析装置は、適宜なタイミングで洗浄する必要があるが、透析装置の洗浄動作を円滑確実化するために、通常より増加した水量を安定した水圧で供給できる水処理装置の完成が望まれている。
【０００７】
ここで、水処理装置の原水側に加圧ポンプを配置して、個人用透析装置用への供給水圧を定常的に高く設定しておく対策が考えられる。しかし、このような構成では、個人用透析装置の洗浄動作のためだけに、本来は不要な加圧ポンプを配置することになり、交流電源が必要となるだけでなく、装置規模が大型化して簡易性に欠けるという問題がある（特許文献１〜特許文献４参照）。
【０００８】
本考案は、上記の問題に鑑みてなされたものであって、簡易な構成でありながら、高定品質の精製水を安定的に供給できる水処理装置を提供することを目的とする。
【課題を解決するための手段】
【０００９】
上記の目的を達成するため、本考案は、外部機器に対して必要量の精製水を供給する水処理装置であって、外部から受ける原水から不純物を除去する第１モジュールと、第１モジュールの出力水を受けて逆浸透膜を経由させる第２モジュールと、第１モジュールと第２モジュールの間に配置されて通過水の取得と薬液の注入とが可能な上流検査ポートと、第２モジュールの出力ラインに配置されるバッファタンクと、を有して構成され、前記バッファタンクは、気体を蓄える気密室と、出力ラインに連通する蓄水室とが、可動ピストンによって区分されて構成され、気密室と出力ラインの圧力が一致するよう可動ピストンが可動するよう構成されている。
【００１０】
本考案では、可動ピストンが可動することで、外部機器への供給水の水圧が、最低基準値を上回るよう構成されているのが好ましい。ここで、前記バッファタンクは、完全閉塞状態であって、気密室の気密状態が永続的に維持されるよう構成されているか、或いは、脱気動作と給気動作が可能なシリンジ部材が接続可能な接続ポートと、接続ポートと気密室との連通を開閉制御する連通弁とが配置され、通常時は、連通弁が閉塞状態であって気密室の気密状態が維持される一方、必要時には、接続ポートに接続されたシリンジ部材の動作に基づいて、蓄水室の容積が適宜に設定可能に構成されているのが好ましい。
【００１１】
水処理装置の洗浄運転動作では、洗浄開始時、洗浄動作中、又は、洗浄終了時の何れか一以上のタイミングで、可動ピストンを意図的に可動させるよう構成されているのが典型的である。具体的には、例えば、気密室の気体をシリンジ部材に移動させる脱気動作、又は、シリンジ部材の気体を気密室に移動させる給気動作が実行される。
【００１２】
また、水処理装置の洗浄運転時には、上流検査ポートから洗浄液が注入されるのが好ましく、第２モジュールの下流側には、通過水を取得可能な下流検査ポートが配置されているのも好ましい。また、前記蓄水室の蓄水量は、最低基準値の水圧において１００ｃｃ以上であるのが好ましい。
【考案の効果】
【００１３】
上記した本考案によれば、簡易な構成でありながら、高定品質の精製水を安定的に外部機器に供給することができる。外部機器としては、医療機器を好適に例示することができる。
【図面の簡単な説明】
【００１４】
【図１】実施例に係る水処理装置を示す概略斜視図である。
【図２】水処理装置の内部構成と、水処理装置と透析装置との接続関係を示す図面である。
【図３】バッファタンクの構成を説明する図面である。
【考案を実施するための形態】
【００１５】
以下、実施例に基づいて本考案を更に詳細に説明する。図１は、実施例に係る水処理装置ＷＡＴを示す概略斜視図であり、個人用透析装置ＤＩＬに接続して使用される。図２は、水処理装置ＷＡＴと個人用透析装置ＤＩＬの接続状態を示すブロック図である。
【００１６】
個人用透析装置ＤＩＬは、例えば、図２に示す構成を有しており、患者の老廃血液を導入する一方、透析膜を通過した清浄血液を出力するダイヤライザ５１と、ダイヤライザ５１に透析液を流通させ、回収した透析廃液を排出しつつ透析治療を監視する装置本体部５２と、を有して構成されている。なお、透析液は、水処理装置ＷＡＴから受けるＲＯ（Reverse Osmosis ）水を使用して生成され、必要な情報は、モニター画面ＤＩＳＰに表示される。
【００１７】
個人用透析装置ＤＩＬは、その運転開始時に、電磁弁Ｖに通電信号ＳＧを供給してＲＯ水の導入路を解放する一方、運転終了時には、通電信号ＳＧを遮断させてＲＯ水の導入路を閉鎖する。そして、本実施例では、電磁弁Ｖの通電信号ＳＧ（直流２４Ｖ）は、水処理装置ＷＡＴに伝送されている。
【００１８】
図２に示す通り、水処理装置ＷＡＴは、通電信号ＳＧを受けて原水ラインを開放させる電磁弁Ｖ１と、活性炭フィルタなどを内蔵して原水の不純物を除去するプレフィルタＦｉと、直列接続された第１と第２の逆浸透膜モジュールＴＵ１，ＴＵ２と、第１逆浸透膜モジュールＴＵ１と第２逆浸透膜モジュールＴＵ２の間に配置されて通過水の取得と薬液の注入が実行される上流検査ポートＳ１と、第２逆浸透膜モジュールＴＵ２の出力ラインに配置されるバッファタンクＢＵＦと、ＲＯ排水の排水量を調整する調整弁Ｖ２と、定常的に水質をチェックする第１と第２の水質モニターＭ１，Ｍ２と、ＲＯ水の出力流量を計測する流量計ＶＬと、バッファタンクＢＵＦの内圧を計測する圧力計Ｐ１と、出力ラインのＲＯ水の水圧を計測する圧力計Ｐ２と、を有して構成されている。
【００１９】
なお、逆浸透膜モジュールＴＵ１，ＴＵ２は、中空糸膜、スパイラル膜、チューブラー膜などを使用して、塩類や不純物を除去する公知の装置である。そして、塩類や不純物が濃縮されたＲＯ排水は、連続的に排出されるが、排出量を規定する調整弁Ｖ２の調整量は、原水の入力量やＲＯ水の出力量などに対応して適宜に設定される。
【００２０】
本実施例の場合、水処理装置ＷＡＴから出力されるＲＯ水の水圧を、最低基準値以上に維持して、出力量４００ｃｃ〜８００ｃｃ／分（好ましくは、５００ｃｃ〜７００ｃｃ／分）を維持できるよう、原水の入力量が１０００ｃｃ／分以上に設定されており、これらに適合する調整弁Ｖ２の調整量となっている。
【００２１】
図２に示す通り、本実施例の場合、プレフィルタＦｉで濾過された原水は、上流検査ポートＳ１を通過するよう構成されている。そのため、必要時には、上流検査ポートＳ１において、通過水をサンプル取得して、原水の水質をチェックすることができる。また、水処理装置ＷＡＴの洗浄時には、上流検査ポートＳ１から洗浄薬液を注入することができる。なお、洗浄薬液は、原水が流通する状態で、上流検査ポートＳ１から導入されるので、洗浄薬液がプレフィルタＦｉを流通するおそれはなく、薬液洗浄によって活性炭フィルタが劣化するおそれはない。
【００２２】
上流検査ポートＳ１としては、好適には、特許第３１４４７７５号のサンプルポートが使用される。このサンプルポートは、原水の通過路にほぼ達するように形成された円柱孔に、弾性体を内蔵する装着部材を締めつけて装着し、原水の通過路に達するように、シリンジ針を突き刺して使用される。
【００２３】
図２に示す通り、上流検査ポートＳ１を通過した原水は、第１水質モニターＭ１を経由して、第１逆浸透膜モジュールＴＵ１に導入される。そして、清浄化された処理水（ＲＯ水）が、第２水質モニターＭ２に導入される一方、濃縮水（ＲＯ排水）は、第２逆浸透膜モジュールＴＵ２に導入される。そして、第２逆浸透膜モジュールＴＵ２で再処理された処理水（ＲＯ水）は、第２水質モニターＭ２に導入され、第２逆浸透膜モジュールＴＵ２の濃縮水（ＲＯ排水）だけが廃棄される。
【００２４】
このように、本実施例では、第１と第２の逆浸透膜モジュールＴＵ１，ＴＵ２を直列接続し、第１逆浸透膜モジュールＴＵ１の濃縮水を、第２の逆浸透膜モジュールＴＵ１，ＴＵ２で再処理するので十分な水量のＲＯ水を得ることができる。
【００２５】
第１と第２の逆浸透膜モジュールＴＵ２で生成されたＲＯ水は、第２水質モニターＭ２と流量計ＶＬを通過した後、下流検査ポートＳ２を通過するよう構成されている。そのため、必要時には、下流検査ポートＳ２において、通過水をサンプル取得してＲＯ水の水質のチェックすることもできる。なお、下流検査ポートＳ２についても、好適には、特許第３１４４７７５号のサンプルポートが使用される。
【００２６】
以上のような内部構造を有する水処理装置ＷＡＴの外観状態は、図１に示す通りである。すなわち、実施例の水処理装置ＷＡＴは、キャスタを備えて移動可能に構成されており、透析装置ＤＩＬに近接して配置される。そして、水処理装置ＷＡＴの下方側面には、透析装置ＤＩＬから通電信号ＳＧを受ける接続コネクタ１が配置されている。
【００２７】
このように、実施例の水処理装置ＷＡＴには、交流電源などの設備は全く不要であり、透析装置ＤＩＬから受ける通電信号ＳＧ（交流信号又は直流信号）だけで動作可能となっている。また、実施例の水処理装置ＷＡＴは、高さ６２０ｍｍ、左右幅４６０ｍｍ、前後幅１５０ｍｍ程度であって、従来装置の半分程度の寸法となっている。なお、個人用透析装置ＤＩＬの外形寸法は、例えば、高さ１２２０ｍｍ、左右幅４５５ｍｍ、前後幅３００ｍｍ程度であるので、このような個人透析装置ＤＩＬに隣接して、水処理装置ＷＡＴを配置すると、左右幅がほぼ一致し、前後幅と高さが共に１／２程度となり、すっきりと纏まった全体形状となる。
【００２８】
ところで、図示の通り、接続コネクタ１の下方には、水道水などの原水を受ける原水ポート２と、ＲＯ排水を排出する排水ポート３と、ＲＯ水を個人用透析装置ＤＩＬに供給する出力ポート４と、薬液を供給可能な薬液ポート５と、が配置されている。
【００２９】
ここで、原水ポート２に加圧ポンプを接続することも可能であるが、本実施例では、水道水などの原水を、直接、原水ポート２に受けており、加圧ポンプや、その交流電源などの設備が不要となる。また、薬液ポート５は、不図示の薬液タンクに接続可能であるが、大量の薬液が必要な例外的な場合に限り使用され、通常の洗浄動作時には使用されず閉鎖状態が維持される。すなわち、本実施例の場合、通常の洗浄時には、上流検査ポートＳ１にシリンジ針を刺し込んで洗浄液の原液が注入される。
【００３０】
また、水処理装置ＷＡＴの上面には、上流検査ポートＳ１と、下流検査ポートＳ２と、バッファタンクＢＵＦの操作部６と、圧力計Ｐ１，Ｐ２の表示部と、流量計ＶＬと、水質モニターＭ１，Ｍ２の表示部が配置されている。そして、水質モニターＭ１，Ｍ２は、蓄電池や乾電池などの電源に基づいて定常的に動作している。なお、水質モニターＭｌ，Ｍ２は、蓄電池や乾電池などの電源に基づいて定常的に動作している。水質モニターＭ１，Ｍ２は、省電力構成であって、乾電池を使用した場合でも、その電池寿命は４年以上となる。
【００３１】
圧力計Ｐ１は、バッファタンクＢＵＦの内圧を示し、圧力計Ｐ２は、ＲＯ水の供給圧力を示しており、正常運転中は同一値（標準値）である。標準値は特に限定されないが、個人用透析装置ＤＩＬの場合には、最低基準値（例えば０．０３ＭＰａ）を超える圧力値が要求される。
【００３２】
流量計ＶＬは、ＲＯ水の供給流量を示しており、個人用透析装置ＤＩＬの場合、透析治療時は、例えば５００ｃｃ／分程度であるが、透析装置ＤＩＬの洗浄時には、その初期タイミングにおいて、約４０％増加した７００ｃｃ／分程度が一時的に要求される。しかし、本実施例では、バッファタンクＢＵＦの緩衝作用によって、上記何れの場合でも最低基準値以上を維持する。
【００３３】
水処理装置ＷＡＴの上面に現れる操作部６は、適宜なシリンジ部材（不図示）が接続可能な接続ポートＰＴと、接続ポートＰＴとバッファタンクＢＵＦとの連通状態を開閉制御する開閉弁Ｖ３と、を有して構成されている。
【００３４】
シリンジ部材は、有効容積が５０ｃｃ〜１００ｃｃ程度の円筒状本体部に、プランジャを内挿させて構成され、プランジャを引抜き方向と押込み方向に移動させることで、５０ｃｃ〜１００ｃｃ程度の脱気動作と給気動作を実現する。
【００３５】
本実施例の場合、シリンジ部材は、水処理装置ＷＡＴの洗浄時に使用され、バッファタンクＢＵＦの気体を吸引する脱気動作と、バッファタンクＢＵＦに気体を供給する給気動作が実行される。
【００３６】
図３は、バッファタンクＢＵＦの構成を示す概略図である。図示の通り、バッファタンクＢＵＦは、窒素ガスや空気などの気体を蓄える気密室１０と、出力ポート４に連通する蓄水室１１とが、可動ピストン１２によって区分されて構成されている。気密室１０は、圧力計Ｐ１や固定具ＦＸが配置されるが、固定具ＦＸに、封止キャップＢＳで閉栓された操作部６が固定された状態では、気体を封止した気密状態となる。すなわち、操作部６は、接続ポートＰＴと、開閉弁Ｖ３とで構成されているが、洗浄時などの特別な場合を除いて、開閉弁Ｖ３は閉鎖状態であって、且つ、操作部６は封止キャップＢＳで閉栓されているので、気密室１０の気密状態が維持される。
【００３７】
可動ピストン１２は、例えば、Ｏリングを２つ配置して構成され、気密室１０の気密状態を維持すると共に、気密室１０と蓄水室１１とを液密に分離している。ここで、バッファタンクＢＵＦの内部体積と、可動ピストン１２の外部体積は、ＲＯ水の供給圧力の最低基準値（例えば０．０３ＭＰａ）と蓄水室に蓄えるべき水量に対応して設定されている。
【００３８】
具体的には、可動ピストン１２がバッファタンクＢＵＦの底部に接する状態で、固定具ＦＸに操作部６を固定して気密室１０を封止すると、バッファタンクＢＵＦの初期設定が完了するよう構成されている。すなわち、開閉弁Ｖ３を開放状態にして、気密室１０に大気圧の空気や窒素ガスを導入して開閉弁Ｖ３を閉鎖した後、蓄水室１１を出力ポート４に連通させると、透析装置ＤＩＬに供給されるＲＯ水の水圧（例えば最低基準値０．０３ＭＰａ）に対応して、可動ピストン１２が上昇して気密室１０の内圧と平衡するが、この平衡状態では、蓄水室１１に所望量（１００ｃｃ〜３００ｃｃ程度）のＲＯ水が蓄水されるよう設計されている。
【００３９】
なお、蓄水室１１の蓄水量は、透析装置ＤＩＬの洗浄動作時の初期タイミングにおいて、一時的に要求される増加水量に対応したものであり、例えば、７００ｃｃ／分程度の水量（増加量２００ｃｃ／分）が３秒程度だけ要求されると見積ると、１００ｃｃ〜３００ｃｃ程度の蓄水量で充分となる。したがって、個人用透析装置ＤＩＬの洗浄時において、要求水量が一時的に増加したとしても供給されるＲＯ水が不足するおそれはない。
【００４０】
最後に、水処理装置ＷＡＴの洗浄動作について説明する。水処理装置ＷＡＴの洗浄時は、原水ポート２を含む原水ラインの圧力を０．１ＭＰａ以下に調整する。また、水処理装置ＷＡＴと個人用透析装置ＤＩＬとの接続を切り離して、出力ポート４を含むＲＯ水の出力ラインを大気開放状態とする。
【００４１】
そして、この状態で、上流検査ポートＳ１にシリンジ針を刺して薬液を注入するが、原水ラインの圧力が０．１ＭＰａ以下に低下しているので薬液注入作業に困難はない。薬液としては、例えば、過酢酸が使用され、水処理装置ＷＡＴの全体に洗浄液が満たされたか否かは、よう化カリウムでんぷん紙が、各排出口の排出液に反応するか否かで判定される。
【００４２】
ここで、バッファタンクＢＵＦの内壁全体を洗浄する場合（精密洗浄時）には、洗浄液が水処理装置ＷＡＴ全体に行き渡ったタイミングで、洗浄液の排出口を一旦閉塞して、バッファタンクＢＵＦの気体をシリンジ部材に吸引する脱気動作を実行する。具体的には、プランジャを限界位置まで押込んだシリンジ部材を、接続ポートＰＴに装着した上で開閉弁Ｖ３を開放し、プランジャを引抜くことでバッファタンクＢＵＦの気体をシリンジ部材に移動させる。すると、この脱気動作に対応して、可動ピストン１２が上昇して、バッファタンクＢＵＦに洗浄液を満たすことができるので、この状態で、原水ポート２、排水ポート３、及び出力ポート４を全て閉鎖する。
【００４３】
そして、３０分程度、洗浄液を水処理装置に貯留した後、原水ポート２、排水ポート３、及び出力ポート４を全て開放して、装置内部を水洗洗浄する。この水洗洗浄時には、シリンジ部材のプランジャを適宜に往復させることで、可動ピストン１２を移動させてバッファタンクＢＵＦ内部及びその内壁面を水洗する。なお、水洗洗浄が完了したことは、排出液が、よう化カリウムでんぷん紙に反応しないことで確認される。
【００４４】
以上、接続ポートＰＴに装着したシリンジ部材を使用して、バッファタンクＢＵＦの脱気動作と給気動作を繰り返すことで、バッファタンクＢＵＦの内壁全体を確実に洗浄する手法を説明したが、特に限定されるものではない。
【００４５】
すなわち、原水ポート２、排水ポート３、及び出力ポート４を全て開放して内部液を排出すると、可動ピストン１２は、バッファタンクＢＵＦの気密室１０の内圧に基づいて降下するので、接続ポートＰＴを設けることなく、バッファタンクＢＵＦを完全閉塞状態に維持しても良い。なお、このような場合には、固定具ＦＸには、封止キャップＢＳ（図３参照）が着脱不能に装着される。
【００４６】
そして、バッファタンクＢＵＦを完全閉塞状態に維持する場合には、やや加圧状態で装置内部に洗浄液を充填し、所定時間その充填状態を維持した後、原水ポート２、排水ポート３、及び出力ポート４を全て開放して洗浄液を排出して、可動ピストン１２を降下させた上で、水洗洗浄処理に移行させれば良い。
【００４７】
装置内部の通液ラインの全体に、やや加圧状態で洗浄液を充填することで、可動ピストン１２が限界位置まで上昇するので、バッファタンクＢＵＦの内壁に洗浄液を接触させることができ、その後、通液ラインを開放することで、可動ピストン１２を、最下位位置まで降下させることができる。
【００４８】
次に、通液ライン全体に、やや加圧状態で水洗浄水を充填させた後、上記と同じ動作を１回又は複数回実行すれば、バッファタンクＢＵＦの内壁を清浄化することができる。
【００４９】
以上、本考案の実施例について詳細に説明したが、特に、具体的な機器構成は何ら本考案を限定するものではなく、適宜に変更可能である。例えば、実施例では、不純物を除去する第１モジュールの出力を受ける第２モジュールが、直列接続された逆浸透膜モジュールＴＵ１，ＴＵ２で構成されたが、その個数や接続方法は特に限定されない。すなわち、原水ラインとＲＯ排水との接続が、実施例では、Ｆｉ−Ｔｕ１−Ｔｕ２の１−１−１接続であったが、これに代えて、１−２−１の接続としても良い。この場合には、例えば、並列接続された逆浸透膜モジュールＴｕ１ａ，Ｔｕ１ｂと、これらの出力を受ける逆浸透膜モジュールＴＵ２とで第２モジュールが構成される。
【００５０】
また、実施例の水処理装置は、医療機器に精製水を供給しているが特に限定されるものではない。
【符号の説明】
【００５１】
Ｆｉ  第１モジュール
ＴＵ１  第２モジュール
ＴＵ２  第２モジュール
Ｓ１    上流検査ポート
ＢＵＦ  バッファタンク
１０    気密室
１１    蓄水室
１２    可動ピストン
【図１】
0003191192.tif 000003
【図２】
0003191192.tif 000004
【図３】
0003191192.tif 000005